(57)【特許請求の範囲】
【請求項１】
可視波長範囲の光を受光して電気信号を出力する受光装置において、
一対の基板によって液晶層が挟持される液晶パネルの前記一対の基板のうちの一方に配置され、周囲光を受光する受光面を備えた受光素子と、
可視波長範囲の光に対する透過率が紫外線に対する透過率よりも高い部材からなり、前記液晶パネルの表示領域を囲って前記一対の基板の間に形成される周縁部に配置される紫外線除去部材と、
を備え、
前記受光素子は、前記周縁部に重なり、前記紫外線除去部材に前記受光面の全面が覆われる位置に配置され、前記紫外線除去部材を通して前記周囲光が受光される、
受光装置。
【請求項２】
前記周縁部に配置される前記紫外線除去部材は、前記液晶層をなす液晶を前記一対の基板の間に封止するシール部材を成す、請求項１に記載の受光装置。
【請求項３】
前記周縁部に配置される前記紫外線除去部材は、前記液晶層の厚さを制御するスペーサを成す、請求項１に記載の受光装置。
【請求項４】
画像が表示される表示領域と、可視波長範囲の光を受光して電気信号を出力する受光素子と、を有し、前記受光素子の出力に応じて前記画像の明るさを調整する電気光学装置において、
一対の基板と、
可視波長範囲の光に対する透過率が紫外線に対する透過率よりも高い部材からなり、前記表示領域を囲って前記一対の基板の間に形成されたシール部材と、
前記シール部材で囲われた領域に封入された液晶と、
前記一対の基板のうちの一方に配置され、周囲光を受光する受光面を備えた受光素子と、
を具備し、
前記受光素子は、前記シール部材に重なり、前記シール部材に前記受光面の全面が覆われる位置に配置され、前記シール部材を通して前記周囲光が受光される、電気光学装置。
【請求項５】
前記シール部材は紫外線硬化型のシール部材である、請求項４に記載の電気光学装置。
【発明の詳細な説明】
【技術分野】
【０００１】
本発明は、受光装置に関し、特に受光した外光を電気信号に変換する光電変換素子を備えた受光装置に好適に利用できる技術に関するものである。また、受光装置を備える電気光学装置に関する。
【背景技術】
【０００２】
従来より、電気光学装置として、例えば、液晶装置が知られている。この液晶装置は、例えば、液晶パネルと、この液晶パネルに対向配置されて光を出射するバックライトと、を備える。
【０００３】
液晶パネルは、一対の基板と、これら一対の基板の間に設けられた液晶と、を備える。この液晶パネルには、電極間の液晶に駆動電圧を印加して、液晶の配向や秩序を変化させる。すると、液晶を透過するバックライトからの光が変化して、階調表示が行われる。
【０００４】
この液晶装置の表示の視認性は、太陽光といった外光による液晶装置の周囲の明るさによって変化する。すなわち、液晶装置の周囲が明るくなるに従って、液晶装置の周囲の明るさと、液晶装置の表示領域の明るさと、の差分が小さくなるので、液晶装置の表示の視認性が低下する。
【０００５】
そこで、外光の照度を検出する受光装置を備えた液晶装置が提案されている（例えば、特許文献１参照）。この液晶装置によれば、受光装置により外光の照度を検出し、検出した外光の照度に応じて、バックライトから出射する光量を制御する。このため、液晶装置の周囲の明るさに応じて、液晶パネルに供給されるバックライトからの光量を調整して、液晶装置の表示の視認性を向上できる。
【０００６】
また、低温ポリシリコン（ＬＴＰＳ）技術により、画素の外周部にその受受光装置を配置している例もある（例えば、特許文献２参照）。液晶パネルを構成する二枚の基板は、特殊なシール剤により貼り合わせている。ＬＴＰＳ技術によるガラス基板上の駆動回路が作製されている場合で、シールの下部にその駆動回路を配置する例（特許文献３）もある。
【０００７】
【特許文献１】特開２００５−１２１９９７号公報
【特許文献２】特開２００５−３４０２６５号公報
【特許文献３】特開平６−１８６５８０号公報
【発明の開示】
【発明が解決しようとする課題】
【０００８】
上述の受光装置をＬＴＰＳ技術でガラス基板上に形成した場合には画素などと同時に作製することが可能である。画素に信号を与えるための駆動回路も同時に作製されるが、画素領域と駆動回路領域以外の空いているところに受光装置を配置することになる。
【０００９】
近年、携帯電話など携帯端末では小型にすることが重要であり、液晶パネルの外形を大きくしないように受光装置の配置場所を工夫する必要があった。例えば、携帯電話は、ポケットに簡単に収まる大きさで、手の小さな人でもしっかりと握れるくらいの大きさなければならない。一方、携帯電話の番号の押しボタンは押し易いようにある程度の大きさが必要であるし、表示画面も見やすいようにできるだけ大きくすべきである。しかし、受光装置はある程度大きな素子でなくてはならない。周囲光が暗くてもそれに十分に反応する電気信号を得る必要があるからである。そのような受光装置を設けるための領域を別に作るとその分の表示画面を小さくするか、押しボタンを小さくしなければならなくなる。
【００１０】
また、別の課題として、ＬＴＰＳ技術で作製した受光素子（例えばＰＩＮダイオード）は、紫外線領域（おおむね４００ｎｍ以下の波長）に大きな感度を持っていることが我々の試作品の評価からわかっており、人間の視感度に近づけるために、紫外線をカットするような手段を考えなければならなかった。
【００１１】
例えば、受光装置で受光した周囲光の強度に応じてバックライトの明るさを調節するような機能をつくる場合、人間の視感度と同じように周囲光を検出する必要がある。人間が周囲が暗いと感じるときにバックライトを暗くしてバックライトの消費電力を節約して、周囲が明るいと感じているときにはバックライトを明るくして表示を見やすくする必要があるからである。そこで、本発明は、上述の課題に鑑みてなされたものであり、周囲光をたくさん取り入れるためにサイズの大きな受光装置を設けても従来と変わらぬ小型な、人間の視感度に合った外光の照度を検出できる受光装置、および電気光学装置を提供することを目的とする。
【課題を解決するための手段】
【００１２】
上記課題を解決するために、本発明に係る受光装置は、可視波長範囲の光を受光して電気信号を出力する受光装置において、一対の基板によって液晶層が挟持される液晶パネルの一対の基板のうちの一方に配置され、周囲光を受光する受光面を備えた受光素子と、可視波長範囲の光に対する透過率が紫外線に対する透過率よりも高い部材からなり、液晶パネルの表示領域を囲って一対の基板の間に形成される周縁部に配置される紫外線除去部材と、を備え、受光素子は、周縁部に重なり、紫外線除去部材に受光面の全面が覆われる位置に配置され、紫外線除去部材を通して周囲光が受光される。
【００１３】
上記の受光装置によれば、紫外線除去部材を透過した光が受光素子に入射することになる。つまり、紫外線除去部材により入射光の紫外線成分が減じられるので、受光装置が感知してしまう非可視範囲の波長成分の光が少なくなる。
【００１４】
なお、紫外線除去部材の可視波長範囲の光に対する透過率は、紫外線に対する透過率より高く、受光装置に入射する光の可視波長範囲の光の割合が高くなるので、可視波長範囲の光の感知がより正確になる。
【００１５】
ここで、紫外線除去部材の可視波長範囲の光に対する透過率が、紫外線に対する透過率より高いとは、（１）可視波長範囲での透過率の平均値が、紫外線の透過率の平均値より高い、又は（２）可視波長範囲内における最大の透過率が、紫外線範囲での最大の透過率のより高い、のいずれかを少なくとも意味し、（１）および（２）のうちの両方、又はいずれかを満たせば本発明による効果を得ることができる。或いは、人間の視感度が最も高い緑の波長を多く透過する構成を採用しても効果的であるため、緑の中心波長である５５０ｎｍの波長の光の透過率が、紫外線範囲の全ての波長の光の透過率より高くなる構成も「紫外線除去部材の可視波長範囲の光に対する透過率が、紫外線に対する透過率より高い」に含まれる。
【００１６】
なお、本発明にあっては、可視波長範囲の光とは、４００ｎｍ以上７８０ｎｍ未満の波長の光を指し、紫外線とは、３１５ｎｍ以上４００ｎｍ未満の波長成分の光を指す。広義には、１０ｎｍ以上４００ｎｍ未満の波長成分の光が紫外線と呼ばれるが、本発明においては太陽光等の外光に含まれる紫外線のうち、オゾン層を通過して地表に到達する近紫外線成分を対象とする。
【００１７】
紫外線除去部材の配置の具体例としては、受光素子の受光面を紫外線硬化型の樹脂で覆う構成を採用することができる。紫外線硬化型の樹脂とは、紫外線を吸収して硬化するのであるから、紫外線をより効率的に吸収する作用を備えているからである。受光素子とすてはＰＩＮ型のダイオードを用いることができるが、そのほかにも例えばＭＯＳ型のトランジスタでも受光素子を構成することが可能である。
【００２５】
また、周縁部に配置される紫外線除去部材は、液晶層をなす液晶を一対の基板の間に封止するシール部材としてもよい。シール部材の他にも、液晶装置の他の構成部材を紫外線除去部材として兼用することも可能である。例えば、液晶層の厚みをコントロールするスペーサを紫外線除去部材として採用しても同様の効果を得ることができる。
【発明を実施するための最良の形態】
【００２６】
＜第１実施形態＞
図１は、本発明の第１実施形態に係る電気光学装置１のブロック図である。電気光学装置１は、電気光学パネルとしての液晶パネルＡＡと、液晶パネルＡＡに対向配置されて光を出射する照明としてのバックライト４１と、バックライト４１を制御するバックライト制御回路４２と、を備える。この電気光学装置１は、バックライト４１からの光を利用して、透過型の表示を行う。液晶パネルＡＡは、複数の画素５０を有する表示領域Ａと、この表示領域Ａの周辺に設けられて画素５０を駆動する走査線駆動回路１０およびデータ線駆動回路２０と、外光の照度を検出する受光装置５と、を備える。
受光装置５は、外光の照度を検出して、外光の照度に関する照度信号を出力する。
【００２７】
バックライト４１は、液晶パネルＡＡの裏面に設けられ、例えば、冷陰極蛍光管（ＣＣＦＬ）やＬＥＤ（発光ダイオード）、あるいはエレクトロルミネッセンス（ＥＬ）で構成されて、液晶パネルＡＡの画素５０に光を供給する。バックライト制御回路４２は、受光装置５から出力された照度信号に基づいて、バックライト４１を制御するバックライト制御信号をバックライト４１に出力することで、バックライト４１が出射する光量を制御する。具体的には、バックライト制御回路４２は、受光装置５から出力された照度信号が所定の閾値を上回ると、電気光学装置１の周囲が明るいと判断して、バックライト４１が出射する光量を多くする。一方、受光装置５から出力された照度信号が所定の閾値を下回ると、電気光学装置１の周囲が暗いと判断して、バックライト４１が出射する光量を少なくする。
【００２８】
以下、液晶パネルＡＡの構成について詳述する。液晶パネルＡＡは、所定間隔おきに交互に設けられた３２０行の走査線Ｙ（Ｙ１〜Ｙ３２０）および３２０行の容量線Ｚ（Ｚ１〜Ｚ３２０）と、これら走査線Ｙ（Ｙ１〜Ｙ３２０）および容量線Ｚ（Ｚ１〜Ｚ３２０）に交差するように設けられた２４０列のデータ線Ｘ（Ｘ１〜Ｘ２４０）と、を備える。各走査線Ｙおよび各データ線Ｘの交差部分には、画素５０が設けられている。画素５０は、薄膜トランジスタ（以降、ＴＦＴ（Thin Film Transistor）と呼ぶ）５１、画素電極５５、この画素電極５５に対向して設けられた共通電極５６、および、一方の電極が容量線Ｚに接続され他方の電極が画素電極５５に接続された蓄積容量５３で構成される。画素電極５５および共通電極５６は、電気光学材料としての誘電体である液晶（図示せず）を挟持し、画素容量５４を構成する。
【００２９】
ＴＦＴ５１のゲートには、走査線Ｙが接続され、ＴＦＴ５１のソースには、データ線Ｘが接続され、ＴＦＴ５１のドレインには、画素電極５５および蓄積容量５３の他方の電極が接続されている。したがって、このＴＦＴ５１は、走査線Ｙから選択電圧が印加されるとオン状態となり、データ線Ｘと画素電極５５および蓄積容量５３の他方の電極とを導通状態とする。
【００３０】
走査線駆動回路１０は、ＴＦＴ５１をオン状態にする選択電圧を複数の走査線Ｙに順次供給する。例えば、ある走査線Ｙに選択電圧を供給すると、この走査線Ｙに接続されたＴＦＴ５１が全てオン状態となり、この走査線Ｙに係る画素５０が全て選択される。データ線駆動回路２０は、画像信号をデータ線Ｘに供給し、オン状態のＴＦＴ５１を介して、この画像信号に基づく画像電圧を画素電極５５に書き込む。以上の電気光学装置１は、以下のように動作する。すなわち、走査線駆動回路１０から３２０行の走査線Ｙ１〜Ｙ３２０に選択電圧を順次供給することで、各走査線Ｙに係る全てのＴＦＴ５１を順次オン状態にして、各走査線Ｙに係る全ての画素５０を順次選択する。そして、これら画素５０の選択に同期して、データ線駆動回路２０からデータ線Ｘに画像信号を供給する。すると、走査線駆動回路１０で選択した全ての画素５０に、データ線駆動回路２０からデータ線Ｘおよびオン状態のＴＦＴ５１を介して画像信号が供給されて、この画像信号に基づく画像電圧が画素電極５５に書き込まれる。これにより、画素電極５５と共通電極５６との間に電位差が生じて、駆動電圧が液晶に印加される。
【００３１】
液晶に駆動電圧が印加されると、液晶の配向や秩序が変化し、液晶を透過するバックライト４１からの光が変化して、階調表示が行われる。なお、液晶に印加される駆動電圧は、蓄積容量５３により、画像電圧が書き込まれる期間よりも３桁も長い期間に亘って保持される。
【００３２】
図２は、受光装置５の回路図である。受光装置５は、外光を受光する受受光装置としての第１のＰＩＮ型ダイオード８１と、外光が遮断される遮受光装置としての第２のＰＩＮ型ダイオード８２と、照度検出回路９０と、を備える。第１のＰＩＮ型ダイオード８１のカソードは、高電位側電源ＶＨＨに接続され、第１のＰＩＮ型ダイオード８１のアノードは、端子Ｍを介して、第２のＰＩＮ型ダイオード８２のカソードに接続されている。第２のＰＩＮ型ダイオード８２のアノードは、低電位側電源ＶＬＬに接続されている。すなわち、第１のＰＩＮ型ダイオード８１と、第２のＰＩＮ型ダイオード８２とは、端子Ｍを介して、直列に接続されており、第１のＰＩＮ型ダイオード８１および第２のＰＩＮ型ダイオード８２には、逆バイアス電圧が印加されている。
【００３３】
第１のＰＩＮ型ダイオード８１は、外光の照度のほか、ＰＩＮ型ダイオード自体の温度などに応じて、カソードからアノードに向かって電流を出力する。一方、第２のＰＩＮ型ダイオード８２は、外光が遮断されるので、ＰＩＮ型ダイオード自体の温度といった外光の照度以外の影響に応じて、カソードからアノードに向かって電流を出力する。したがって、端子Ｍから、第１のＰＩＮ型ダイオード８１が出力した電流と、第２のＰＩＮ型ダイオード８２が出力した電流と、の差分の電流を取り出すことができる。
【００３４】
この電流は、第１のＰＩＮ型ダイオード８１が出力する電流から、ＰＩＮ型ダイオード自体の温度といった外光の照度以外の影響を除去した電流であり、外光の照度のみに応じた電流である。照度検出回路９０は、光検知回路９１、カウンタ９２、およびルックアップテーブル（以降、ＬＵＴ（Look Up Table）と呼ぶ）９３を備える。この照度検出回路９０は、端子Ｍに流れる電流に基づいて、外光の照度に関する照度信号を出力する。光検知回路９１は、コンデンサ９１１、スイッチング素子９１２、およびインバータ９１３を備える。
【００３５】
この光検知回路９１は、端子Ｍに流れる電流に基づいて、光検知信号を出力する。コンデンサ９１１は、端子Ｍに流れる電流に基づいて充電される。具体的には、コンデンサ９１１の一方の電極は、端子Ｍに接続され、コンデンサ９１１の他方の電極は、基準電位電源の電圧ＧＮＤに接続されている。端子Ｍに流れる電流がコンデンサ９１１の一方の電極に供給されると、この電流に基づいて、コンデンサ９１１には、電荷が徐々に充電される。すると、このコンデンサ９１１の一方の電極からは、充電された電荷に応じた電圧が出力される。このため、コンデンサ９１１の一方の電極に接続された端子Ｍの電圧は、コンデンサ９１１に充電された電荷に応じた電圧となる。
【００３６】
スイッチング素子９１２は、コンデンサ９１１に充電された電荷を放電する。具体的には、スイッチング素子９１２の一端は、コンデンサ９１１の一方の電極に接続され、スイッチング素子９１２の他端は、基準電位電源の電圧ＧＮＤに接続されている。
【００３７】
スイッチング素子９１２をオン状態にすると、このオン状態のスイッチング素子９１２を介して、コンデンサ９１１に充電された電荷が基準電位電源の電圧ＧＮＤに移動する。これにより、コンデンサ９１１に充電された電荷を放電する。インバータ９１３は、端子Ｍの電圧を反転して出力する。
【００３８】
具体的には、インバータ９１３の入力端は、端子Ｍに接続され、インバータ９１３の出力端は、端子Ｎに接続されている。インバータ９１３は、端子Ｍの電圧が、所定の電圧よりも電位が低ければ、電圧ＶＤＤを出力し、所定の電圧よりも電位が高ければ、光検知信号として電圧ＧＮＤを出力する。このため、インバータ９１３の出力端に接続された端子Ｎの電圧は、インバータ９１３から出力される電圧となる。カウンタ９２は、スイッチング素子９１２がオフ状態になってから、インバータ９１３から光検知信号が出力されるまでの時間を計測する。
【００３９】
カウンタ９２の入力端は、端子Ｎに接続され、カウンタ９２の出力端は、ＬＵＴ９３の入力端に接続されている。このカウンタ９２は、スイッチング素子９１２がオフ状態になると、時間の計測を開始し、端子Ｎの電圧が電圧ＧＮＤになると、時間の計測を終了する。ＬＵＴ９３は、カウンタ９２で計測した時間に基づいて、外光の照度に関する照度信号を出力する。具体的には、ＬＵＴ９３の入力端は、カウンタ９２の出力端に接続される。このＬＵＴ９３は、カウンタ９２で計測した時間に基づいて、外光の光量を判定する。例えば、カウンタ９２で計測した時間が長いほど、端子Ｍに流れる外光の照度のみに応じた電流が小さいということなので、外光の光量が少ないと判定する。
【００４０】
一方、カウンタ９２で計測した時間が短いほど、端子Ｍに流れる外光の照度のみに応じた電流が大きいということなので、外光の光量が多いと判定する。そして、判定した外光の光量に基づいて、外光の照度を検出して、外光の照度に関する照度信号をＬＵＴ９３の出力端から出力する。
【００４１】
図３は、受光装置５のタイミングチャートである。図３において、Ｖｔｈは、インバータ９１３における上述の所定の電圧である。まず、時刻ｔ１において、スイッチング素子９１２をオン状態にする。すると、コンデンサ９１１に充電された電荷が基準電位電源の電圧ＧＮＤに移動して、コンデンサ９１１に充電された電荷が放電される。このため、コンデンサ９１１の一方の電極に接続された端子Ｍの電圧は、電圧ＧＮＤとなり、端子Ｍの電圧を反転して出力するインバータ９１３の出力端に接続された端子Ｎの電圧は、電圧ＶＤＤとなる。
【００４２】
次に、時刻ｔ２において、スイッチング素子９１２をオフ状態にする。すると、コンデンサ９１１には、端子Ｍに流れる外光の照度のみに応じた電流に基づいて、電荷が徐々に充電される。このため、端子Ｍの電圧は、徐々に上昇して、時刻ｔ３では、電圧Ｖｔｈとなる。また、時刻ｔ２において、カウンタ９２が時間の計測を開始する。
【００４３】
時刻ｔ３では、端子Ｍの電圧が電圧Ｖｔｈとなると、端子Ｎの電圧は、電圧ＧＮＤとなる。同時に、カウンタ９２が、時間の計測を終了する。すると、ＬＵＴ９３が、カウンタ９２で計測した時刻ｔ１から時刻ｔ３までの時間に基づいて、外光の光量を判定し、照度信号を出力する。
【００４４】
次に、時刻ｔ４において、時刻ｔ１と同様に、スイッチング素子９１２をオン状態にする。すると、端子Ｍの電圧は、電圧ＧＮＤとなり、端子Ｎの電圧は、電圧ＶＤＤとなる。図４は、電気光学装置１の平面図である。図５は、図４における電気光学装置１のＡ−Ａ断面の模式図である。図５に示すように、液晶パネルＡＡは、素子基板６０と、この素子基板６０に対向配置された対向基板７０と、素子基板６０と対向基板７０との間に設けられた液晶と、を備える。
【００４５】
図４に示すように、素子基板６０は、対向基板７０と比べて大きく形成されており、対向基板７０と対向しない領域を備える。この素子基板６０のうち対向基板７０と対向しない領域には、フレキシブルプリント配線板（以降、ＦＰＣ（Flexible Printed Circuit）と呼ぶ）４５が接続されている。このＦＰＣ４５には、走査線駆動回路１０およびデータ線駆動回路２０を含むドライバＩＣ（図示省略）が実装されている。素子基板６０は、ガラス基板６８を有する。このガラス基板６８の液晶に面する側において、表示領域Ａには、所定間隔おきにＩＴＯ（Indium Tin Oxide）やＩＺＯ（Indium Zinc Oxide）などの透明導電材料からなる画素電極５５が形成されている。
【００４６】
このガラス基板６８上のうち表示領域には、画素電極５５に対応して、図示しないＴＦＴ５１や蓄積容量５３なども形成されている。また、ガラス基板６８の液晶に面する側において、表示領域Ａを除く領域には、第１のＰＩＮ型ダイオード８１および第２のＰＩＮ型ダイオード８２が形成されている。また、ガラス基板６８のバックライト４１に面する側において、表示領域Ａには、偏光板３１が設けられており、表示領域Ａを除く領域には、遮光膜としての遮光板３２が設けられている。
【００４７】
偏光板３１は、バックライト４１から出射された光を偏光して、この偏光した光を表示領域Ａに供給する。遮光板３２は、表示領域Ａを除く領域、すなわち第１のＰＩＮ型ダイオード８１および第２のＰＩＮ型ダイオード８２が設けられた領域に設けられている。この遮光板３２は、バックライト４１から出射された光を遮断して、表示領域Ａを除く領域にバックライト４１から出射された光が供給されるのを防止する。
【００４８】
対向基板７０は、ガラス基板７４を有する。このガラス基板７４の液晶に面する側において、表示領域Ａのうち画素電極５５に対向する領域には、カラーフィルタ７２が形成されており、表示領域Ａのうちカラーフィルタ７２が形成されている領域を除く領域には、ブラックマトリクスとしての遮光膜７１が形成されている。
【００４９】
ここで、ガラス基板７４のシール材３５に面する側において、表示領域Ａを除く領域のうち第１のＰＩＮ型ダイオード８１に対向する領域には、入光口７３が設けられており、表示領域Ａを除く領域のうち入光口７３が設けられた領域を除く領域には、上述の遮光膜７１が形成されている。
【００５０】
ガラス基板７４の液晶に面する側には、遮光膜７１、カラーフィルタ７２、および入光口７３を覆って、ＩＴＯやＩＺＯなどの透明導電材料からなる共通電極５６が形成されている。
【００５１】
以上の素子基板６０と対向基板７０との間には、所定の間隔が設けられている。この間隔には、液晶パネルＡＡの表示領域Ａを囲って形成された周縁部材としてのシール材３５により液晶が封止されて、液晶層が形成されている。
【００５２】
シール材３５は、素子基板６０のガラス基板６８に形成された第１のＰＩＮ型ダイオード８１を覆って形成されている。入光口７３から射し込む光を第１のＰＩＮ型ダイオード８１で受光する。また、シール材３５は、入光口７３から射し込む光の紫外線を吸収する。
【００５３】
図６はＬＴＰＳ技術で作製された第２のＰＩＮ型ダイオード８２の感度スペクトルを示す図である。同時に一般的な視感度曲線も記載している。このように第２のＬＴＰＳ技術で作製された第２のＰＩＮ型ダイオード８２では、視感度よりも短波長の紫外線領域に感度が高い。
【００５４】
ところで、シール材３５には、例えば紫外線を吸収して硬化するＵＶ硬化樹脂が使用されている場合がある。ＵＶ硬化樹脂は硬化した後も紫外線領域の光を十分に吸収する。熱硬化性の樹脂を用いた場合やその他の材料でも、紫外線を吸収するビーズまたはマイクロロッド（図示省略）等を混入すると良い。紫外線吸収ビーズまたはマイクロロッドは、４００ｎｍ以下の紫外線を吸収するが可視光に対しては透明である物質である。
【００５５】
本実施形態によれば、以下のような効果がある。
（１）第１のＰＩＮ型ダイオード８１を、液晶パネルＡＡの表示領域Ａを囲って形成されたシール材３５で覆われる位置に配置した。このため、周囲光の明るさを検出する受光装置５が大きくても特別にその形成領域を設ける必要がないから液晶パネルＡＡの外形を大きくすることがない。また、シール材３５は表示領域Ａの周囲に存在するから、どの位置にも受光装置５を置いても良い。つまり受光装置５は表示領域Ａの上下、左右のどの位置にも置くことが可能であり、色々な位置における周囲光の明るさを検出するのに役立つ。なお、第２のＰＩＮ型ダイオード８２は遮光膜７１と遮光板３２により遮光された位置に存在して、まったく光が入らない。第２のＰＩＮ型ダイオード８２は遮光膜７１と遮光板３２により遮光された位置ならば他に干渉するものが無い所で自由に配置しても良いので、液晶パネルＡＡの外形を大きくするものではない。
【００５６】
（２）シール材３５またはそれに混入させた物質が紫外線を吸収するので、受光装置５が紫外線に感度が高くとも、より人間の視感度に近い受光特性が得られる。受光装置５から得られた電気信号によりバックライトの明るさを制御した場合に、人間が周囲が暗いと感じるときにバックライトを暗くしてバックライトの消費電力を節約して、周囲が明るいと感じているときにはバックライトを明るくして表示を見やすくするという制御がより正確になる。
【００５７】
（３）紫外線を吸収する物質、例えばビーズやマイクロロッドをシール材３５に混入した。これらの物質の光吸収スペクトルを変化させることにより、第２のＰＩＮ型ダイオード８２に到達する光スペクトルを変化させることが可能である。より人間の視感度に合った受光特性を得ることが可能になる。
【００５８】
＜第２実施形態＞
図７は本発明の第２実施形態に係る、受光装置が配置されている部分の拡大平面図である。第１実施形態では図５に示すように、シール材３５の形成部に第１のＰＩＮ型ダイオード８１を配置し、画素領域とシール材３５の間に第２のＰＩＮ型ダイオード８２を配置している。
【００５９】
一方、第２の実施形態では、図７に示すようにシール材３５の形成部に第１のＰＩＮ型ダイオード８１と第２のＰＩＮ型ダイオード８２の両方を配置している。
【００６０】
本実施形態によれば、以下のような効果がある。
（４）シール材３５が画素領域に接近している場合、第１の実施形態のように第２のＰＩＮ型ダイオード８２を配置する場所が確保できない。しかし、本実施の形態によれば、第２のＰＩＮ型ダイオード８２も第１のＰＩＮ型ダイオード８１と同様にシール材３５の形成部に配置されているために、その問題は生じない。逆に言えば、本実施の形態を用いることで、画素領域とシール材３５を接近することができ、液晶パネルＡＡの小型化が可能になる。
【００６１】
＜変形例＞
なお、本発明は上述の各実施形態に限定されるものではなく、本発明の目的を達成できる範囲での変形、改良等は本発明に含まれるものである。例えば、上述の第１実施形態では、カラーフィルタ７２を対向基板７０に形成したが、これに限らず、例えば、素子基板６０に形成してもよい。
【００６２】
また、上述の第１実施形態では、外光の照度に応じて、バックライト４１が出射する光量を調整したが、これに限らず、例えば、画像信号を調整してもよい。また、上述の第１実施形態では、シール材に紫外線を吸収するビーズやマイクロロッドを混入させたが、特定の波長域を吸収する物質をシール材の材料に混ぜても良い。
【００６３】
また、上述の各実施形態では、３２０行の走査線Ｙと、２４０列のデータ線Ｘと、を備えるものとしたが、これに限らず、例えば、４８０行の走査線Ｙと、６４０列のデータ線Ｘと、を備えてもよい。また、上述の各実施形態では、本発明を電気光学物質として液晶を用いた電気光学装置１に適用したが、これに限らず、例えば、有機ＬＥＤ素子を用いた有機ＥＬディスプレイに適用してもよい。なお、本発明を有機ＥＬディスプレイに適用した場合には、周縁部材として、シール材ではないが、同様な封止材が用いられるのでそれに置き換えて考える。
【００６４】
＜応用例＞
次に、上述した実施形態に係る電気光学装置１を適用した電子機器について説明する。図８は、電気光学装置１を適用した携帯電話機の構成を示す斜視図である。携帯電話機３０００は、複数の操作ボタン３００１およびスクロールボタン３００２、ならびに電気光学装置１を備える。スクロールボタン３００２を操作することによって、電気光学装置１に表示される画面がスクロールされる。なお、電気光学装置１が適用される電子機器としては、図８に示すもののほか、パーソナルコンピュータ、情報携帯端末、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などが挙げられる。そして、これらの各種電子機器の表示部として、前述した液晶装置が適用可能である。
【図面の簡単な説明】
【００６５】
【図１】本発明の第１実施形態に係る電気光学装置のブロック図。
【図２】前記電気光学装置が備える受光装置の回路図。
【図３】前記電気光学装置が備える受光装置のタイミングチャート。
【図４】前記電気光学装置の平面図。
【図５】前記電気光学装置の断面の模式図。
【図６】ＬＴＰＳ技術によるＰＩＮ型ダイオードの受光スペクトル。
【図７】液晶パネルの全体平面図。
【図８】本発明の第１実施形態と第２実施形態に係る拡大平面図。
【符号の説明】
【００６６】
１…電気光学装置、５…受光装置、３２…遮光膜としての遮光板、３５…周縁部材としてのシール材、４１…照明としてのバックライト、４５…ＦＰＣ、５５…画素電極、５６…共通電極、６０…素子基板、７０…対向基板、７１…遮光膜、７２…カラーフィルタ、７３…入光口、８１…受受光装置としての第１のＰＩＮ型ダイオード、８２…遮受光装置としての第２のＰＩＮ型ダイオード、９１…光検知回路、Ａ…表示領域、ＡＡ…電気光学パネルとしての液晶パネル。
【図１】
0005121358.tif 000002
【図２】
0005121358.tif 000003
【図３】
0005121358.tif 000004
【図４】
0005121358.tif 000005
【図５】
0005121358.tif 000006
【図６】
0005121358.tif 000007
【図７】
0005121358.tif 000008
【図８】
0005121358.tif 000009